(57)【要約】【課題】利便性の良い自動券売機を提供することを目的とする。【解決手段】ＩＣカードＣに乗車券の購入時に購入履歴情報を登録し、利用者はこの購入履歴情報を基に乗車券を購入することができるため自宅のＰＣまたは、駅に設置されているカード処理機を用いて乗車経路の情報をＩＣカードに入力する必要も無く、実際に購入した乗車券の購入履歴情報を基にして乗車券の購入手続きを行うため、乗車経路の入力ミスによる乗車券の誤購入の可能性も低くなる。  また、利用者の要求に応じて新たに購入履歴情報を追加して登録、或いは必要のない購入履歴情報を削除することもできるため、乗車券の購入をスムーズに行うことができ、自動券売機の混雑を緩和することもできる。【選択図】  図１
2011134067.tif 000002
【特許請求の範囲】
【請求項１】
利用者が提示したＩＣカードに記録された金額データに基づいて乗車券を発券する自動券売機において、
少なくとも乗車券の購入駅を購入履歴情報として前記ＩＣカードに登録する登録手段と、
前記登録手段によって登録された購入履歴情報を読み出す読出手段と、
前記自動券売機の設置駅を記憶する記憶手段と、
前記記憶手段によって記憶された前記設置駅が前記読出手段によって読み出された購入履歴情報に存在するか否かを判定する判定手段と、
前記判定手段によって、前記設置駅が前記読出手段によって読み出された購入履歴情報に存在すると判定されたとき、前記購入履歴情報のうち前記設置駅が乗車券の購入駅として登録されている購入履歴情報を表示する第１の表示手段と、
前記第１の表示手段によって表示された購入履歴情報を利用者が選択することにより乗車券を発券する発券手段と、
を有することを特徴とする自動券売機。
【請求項２】
前記読出手段によって読み出された購入履歴情報を表示する第２の表示手段と、
前記第２の表示手段によって表示された購入履歴情報を利用者が選択することによって削除する削除手段と、
を更に有することを特徴とする請求項１記載の自動券売機。
【発明の詳細な説明】
【技術分野】
【０００１】
本発明は、自動券売機に関する。
【背景技術】
【０００２】
現在、ＩＣ（Ｉｎｔｅｇｒａｔｅｄ  Ｃｉｒｃｕｉｔ）カードを所持している利用者が同伴者など（例えば、家族など）のために乗車券を購入する際には、利用者は利用しようとする乗車経路の利用料金を調べて、チャージされているＩＣカードを用いて駅に設置された自動券売機にて乗車券を購入することができる。しかし、利用者は乗車経路の利用料金を路線図や運賃表を参照しなければならず自動券売機の混雑を招く恐れが有った。
【０００３】
そこで、従来の乗車システムでは、自宅のＰＣ（Ｐｅｒｓｏｎａｌ  Ｃｏｍｐｕｔｅｒ）または、駅に設置されているカード処理機を用いて利用しようとする乗車経路の情報をＩＣカードに入力し、自動券売機は、このＩＣカードに入力された乗車経路の情報を読み取り、乗車経路に応じた乗車料金の乗車券を発券する乗車システムが知られている（例えば、特許文献１参照。）。
【先行技術文献】
【特許文献】
【０００４】
【特許文献１】特開２００２−１０９５７８
【発明の概要】
【発明が解決しようとする課題】
【０００５】
従来の乗車システムは、乗車券を購入するには利用者が自宅のＰＣまたは、駅に設置されているカード処理機を用いて乗車経路の情報をＩＣカードに入力しなければならず、必ずしも利便性の良いものとは言えなかった。
【０００６】
そこで、本発明は利便性の良い自動券売機を提供することを目的とする。
【課題を解決するための手段】
【０００７】
上記目的を達成する為に請求項１記載の自動券売機は、利用者がＩＣカードに記録された金額データに基づいて乗車券を購入する際の購入履歴情報を前記ＩＣカードに登録する登録手段と、前記登録手段によって前記ＩＣカードに登録された購入履歴情報に基づいて乗車券を発券する発券手段と、を有することを特徴とする。
【発明の効果】
【０００８】
本発明によれば、利便性の良い自動券売機を提供することができる。
【図面の簡単な説明】
【０００９】
【図１】本発明の実施の形態１に係る乗車システム１００の構成を示す図。
【図２】本発明の実施の形態１に係る自動券売機ａの電気的構成を示すブロック図。
【図３】本発明の実施の形態１に係る自動改札機Ｇの電気的構成を示すブロック図。
【図４】本発明の実施の形態１に係るＩＣカードＣに登録された購入履歴情報の一例を示す図。
【図５】本発明の実施の形態１に係る自動券売機ａのタッチパネル２４に表示されたＡ駅における購入画面の一例を示す図。
【図６】本発明の実施の形態１に係る自動券売機ａのタッチパネル２４に表示された新規購入画面の一例を示す図。
【図７】本発明の実施の形態１に係る自動券売機ａのタッチパネル２４に表示された購入履歴情報登録画面の一例を示す図。
【図８】本発明の実施の形態１に係る自動券売機ａのタッチパネル２４に表示された購入履歴情報削除画面の一例を示す図。
【発明を実施するための形態】
【００１０】
以下、図面を参照して本発明の実施の形態を説明する。
【００１１】
（実施の形態１）
図１は、本発明の実施の形態１に係る乗車システム１００の構成を示す図である。乗車システム１００は、各駅（Ａ駅、Ｂ駅、Ｃ駅、…）に設置された自動券売機ａ、及び磁気券及び非接触式ＩＣカードＣ（以下、ＩＣカードＣとする。）の両方を処理することのできる自動改札機Ｇを有して構成されている。ＩＣカードＣは、無線通信機能を備えており、有電源式または、無電源式とすることができる。
【００１２】
無電源式のＩＣカードの場合は、ＩＣカードの中にリーダライタや、自動改札機Ｇなどに設けられている外部から送出される電力を受信して駆動電力を生成する回路が設けられている。
【００１３】
また、ＩＣカードＣが有するＩＣチップには、ＩＣカードＣの利用履歴の情報（乗車駅名、降車駅名、改札機の通過日時、チャージ日時、乗車券の購入履歴情報など）、チャージ金額データ（金額データ）、カードＩＤなどの種々のデータ（情報）が記録される。
【００１４】
乗車券の購入履歴情報には、例えば、乗車券の購入駅、購入日時、購入した乗車券の料金（運賃）などが含まれる。
【００１５】
図２は、本発明の実施の形態１に係る自動券売機ａの電気的構成を示すブロック図である。自動券売機ａは、システムプログラムが格納されるＲＯＭ（Ｒｅａｄ  Ｏｎｌｙ  Ｍｅｍｏｒｙ）２０、ワーキングデータが格納されるＲＡＭ（Ｒａｎｄｏｍ  Ａｃｃｅｓｓ  Ｍｅｍｏｒｙ）２１、所定の演算処理を行う中央処理部（ＣＰＵ：Ｃｅｎｔｒａｌ  Ｐｒｏｃｅｓｓｉｎｇ  Ｕｎｉｔ）２２、各種外部ユニット、各種外部機器との接続を担うＩ／Ｏ（Ｉｎｐｕｔ／Ｏｕｔｐｕｔ）ユニット２３を有している。また、ＲＯＭ２０は、記憶手段として機能し、自動券売機ａの設置駅の情報を記憶している。
【００１６】
ＣＰＵ２２には、ＩＯユニット２３を介して、タッチパネルからなる入出力ユニット２４（第1の表示手段、第2の表示手段）、投入された金銭を検銭し、必要に応じて釣銭を排出する金銭処理ユニット２５、乗車券を発券する発券処理ユニット２６、挿入されたＩＣカードＣに対してデータの読み込み・書込みを行うＩＣカードリーダライタ２７が接続されている。なお、Ｉ／Ｏユニット２３には、係員処理ユニットなども接続されているが、ここでは省略されている。
【００１７】
図３は、本発明の実施の形態１に係る自動改札機Ｇの電気的構成を示すブロック図である。自動改札機Ｇは、システムプログラムが格納されるＲＯＭ３０、ワーキングデータが格納されるＲＡＭ３１、所定の演算処理を行うＣＰＵ３２を有している。
【００１８】
ＣＰＵ３２は、Ｉ／Ｏユニット３３を介して、投入された磁気券を処理するカードハンドラからなる磁気券処理ユニット３４と、自動券売機ａに設けられているＩＣカードリーダライタ２７と同様の機能を有するＩＣカードリーダライタ３５と、図示しないドアを制御する開閉駆動するドア駆動ユニット３６とが接続されている。なお、Ｉ／Ｏユニット３３には、利用者の検知を行うセンサなども接続されているがここでは省略されている。
【００１９】
次に、本発明の実施の形態１に係る自動券売機ａにおける乗車券の発券処理について説明する。本実施の形態では、Ａ駅に入場して乗車する利用者（大人１名、小人１名）が自動券売機ａによりＩＣカードＣを用いて０９／１１／２０に乗車した区間の乗車券を購入する場合を説明する。また、ＩＣカードＣには、図４に示すように購入履歴情報１乃至購入履歴情報４が記録されている。
【００２０】
ＩＣカードＣは自動券売機ａの挿入口に挿入されると、自動券売機ａのＩＣカードリーダライタ２７とＩＣカードＣとの間でデータ授受が行われ、ＩＣカードＣに記録されているデータが自動券売機ａに読み取られる。
【００２１】
自動券売機ａは、ＩＣカードＣから読み取ったデータから購入履歴情報を読み出し（読出手段）、購入履歴情報の中から、自動券売機ａの設置駅（Ａ駅）での乗車券の購入履歴情報を判定し（判定手段）、該当の購入履歴情報をタッチパネル２４に表示する。図５に示すようにＩＣカードＣから抽出した購入履歴情報（購入履歴情報１乃至購入履歴情報４）のうちＡ駅での乗車券の購入履歴情報である購入履歴情報１、購入履歴情報２、及び購入履歴情報４がタッチパネル２４に表示される。
【００２２】
利用者は、この表示画面（タッチパネル）２４に表示された購入履歴情報から所望の０９／１１／２０利用時の購入履歴情報１の表示を押下して選択することにより、所望の区間の乗車料金に対応する乗車券が自動券売機ａより発券され（発券手段）、利用者は所望の乗車券を購入することができる。
【００２３】
また、利用者が購入履歴情報として登録されていない区間の乗車券を購入する場合にはタッチパネル２４の新規購入釦を押下することにより表示される図６に示す新規購入画面から所望の区間の乗車料金の乗車券を購入することもできる。
【００２４】
更に、新規購入画面から所望の区間の乗車料金の乗車券を購入した場合には、図７に示す購入履歴情報登録画面が表示され、登録釦を押下することにより当該区間の購入履歴情報を新たに登録することもできる（登録手段）。
【００２５】
また、利用者は、図８に示す購入履歴情報削除画面から既に登録されている購入履歴情報の内から不用なもの選択して削除することもできる（削除手段）。
【００２６】
以上のように、本実施の形態ではＩＣカードＣに乗車券の購入時に購入履歴情報を登録し、利用者はこの購入履歴情報を基に乗車券を購入することができるため自宅のＰＣまたは、駅に設置されているカード処理機を用いて乗車経路の情報をＩＣカードに入力する必要も無く、実際に購入した乗車券の購入履歴情報を基にして乗車券の購入手続きを行うため、乗車経路の入力ミスによる乗車券の誤購入の可能性も低くなる。
【００２７】
また、利用者の要求に応じて新たに購入履歴情報を追加して登録、或いは必要のない購入履歴情報を削除することもできるため、乗車券の購入をスムーズに行うことができ、自動券売機の混雑を緩和することもできる。
【００２８】
従って、本発明の実施の形態１によれば利便性の良い自動券売機を提供することができる。
【００２９】
なお、この発明は、上述した実施の形態に限定されるものではなく、実施段階ではその要旨を逸脱しない範囲で構成要素を変形して具現化できる。また、上述の実施の形態に開示されている複数の構成要素の適宜な組み合わせにより、種々の発明を形成できる。例えば、実施の形態に示される全構成要素からいくつかの構成要素を削除しても良い。さらに異なる実施の形態にわたる構成要素を適宜組み合わせても良い。
【符号の説明】
【００３０】
ａ  自動券売機
Ｇ  自動改札機
Ｃ  非接触式ＩＣカード
２０  ＲＯＭ
２１  ＲＡＭ
２２  ＣＰＵ
２３  Ｉ／Ｏユニット
２４  入出力ユニット（タッチパネル）
２５  金銭処理ユニット
２６  発券処理ユニット
２７  ＩＣカードリーダライタ
３０  ＲＯＭ
３１  ＲＡＭ
３２  ＣＰＵ
３３  Ｉ／Ｏユニット
３４  磁気券処理ユニット（カードハンドラ）
３５  ＩＣカードリーダライタ
３６  ドア駆動ユニット
【図１】
2011134067.tif 000003
【図２】
2011134067.tif 000004
【図３】
2011134067.tif 000005
【図４】
2011134067.tif 000006
【図５】
2011134067.tif 000007
【図６】
2011134067.tif 000008
【図７】
2011134067.tif 000009
【図８】
2011134067.tif 000010